(57)【要約】【課題】抗菌、防臭、除臭、さらに保温の諸機能を備え、洗濯回数の低減を実現し、帽子の使用寿命を延ばす。【解決手段】スベリは、スベリ紡織品によって縫製され、このスベリ紡織品の部分箇所に、除臭、防臭、抗菌、保温、吸汗発散の機能を有する各種機能性繊維から、最低一つの機能性繊維が採用される。この場合、機能性繊維は竹炭繊維、除臭繊維、防臭繊維、抗菌繊維、芳香繊維、金属イオン繊維、キトサン繊維、抗菌剤含有繊維、排汗繊維、光触媒繊維から、一種類またはこれらが選択的に混合されて形成される。【選択図】図２
0003126411.tif 000002
【実用新案登録請求の範囲】
【請求項１】
帽子本体の内側にスベリを備えた帽子において、
前記スベリは、スベリ紡織品によって縫製され、前記スベリ紡織品の部分箇所に、除臭、防臭、抗菌、保温、吸汗発散の機能を有する各種機能性繊維から、最低一つの機能性繊維が採用されることを特徴とする帽子。
【請求項２】
機能性繊維は竹炭繊維、除臭繊維、防臭繊維、抗菌繊維、芳香繊維、金属イオン繊維、キトサン繊維、抗菌剤含有繊維、排汗繊維、光触媒繊維から、一種類またはこれらが選択的に混合されて形成される請求項１に記載の帽子。
【請求項３】
金属イオン繊維にシルバーイオン繊維が用いられる請求項２に記載の帽子。
【請求項４】
スベリにラベルを有し、当該ラベルはスベリの一部に縫い付けられる請求項１に記載の帽子。
【請求項５】
機能性繊維はスベリ紡織品に段状にかつ一定間隔をおいて設けられる請求項１に記載の帽子。
【請求項６】
機能性繊維はつばに近接するスベリ前縁部に用いられ、スベリ前縁部と繋がるスベリ後縁部は一般のスベリ紡織品が使用される請求項１に記載の帽子。
【考案の詳細な説明】
【技術分野】
【０００１】
本考案は、防臭、除臭、保温等の特殊機能をもつ帽子に関する。
【背景技術】
【０００２】
現代人は帽子を利用することが多く、帽子を日除け、雨除けの機能ばかりでなく、装飾としても重宝している。この種の帽子は特許文献１、２に記載されている。
【特許文献１】実用新案登録第３１２３９３０号公報
【特許文献２】実開平７−１０３６号公報
【考案の開示】
【考案が解決しようとする課題】
【０００３】
しかしながら、従来の帽子は使っているうちにホコリや汗で汚れ、帽子の中は細菌が増殖して嫌な臭いが発生することがある。また、帽子の洗濯も手間がかかり、洗濯によって帽子本体の色褪せ、形崩れが生じたり、風合いが悪くなったり、生地の傷みが発生したりすることもあり、帽子の洗濯回数はできる限り少ないことが望ましい。
【０００４】
本考案は、このような従来の課題に鑑みなされたもので、その主な目的は、帽子のスベリの紡織材料に最低一つの機能性繊維を採用して、抗菌、防臭、除臭、さらに保温の諸機能を備え、洗濯回数の低減を実現し、帽子の使用寿命を延ばすことにある。さらに、本考案のもう一つの目的は、帽子本体（構造）の紡織材料に最低一つの機能性繊維を採用して、微生物や細菌の繁殖を抑え、帽子内部を清潔に保つことである。
【課題を解決するための手段】
【０００５】
上記課題を解決するために、本考案の帽子は、最低一つの機能性繊維を含むスベリ紡織品によって縫製されたスベリをもち、除臭その他の機能を有することを要旨とするものである。すなわち、本考案の帽子は、除臭機能をもつ一種の帽子、その内側にはスベリが設けられ、スベリはスベリ紡織品によって縫製されている。その特徴はスベリ紡織品の部分箇所に最低一つの機能性繊維が利用されていることである。この場合、帽子の機能性繊維は竹炭繊維、除臭繊維、防臭繊維、抗菌繊維、芳香繊維、金属イオン繊維、キトサン繊維、抗菌剤含有繊維、排汗繊維、光触媒繊維より一種類またはそれらを混合して利用する。金属イオン繊維にはシルバーイオン繊維を用いる。帽子のスベリは一つのラベルを含み、そのラベルはスベリのある部分に縫い付けられている。帽子の機能性繊維は段状かつ一定間隔をおいてスベリ紡織品に設けられている。帽子の機能性繊維はつばに近接するスベリ前縁部に用いられ、スベリ前縁部と繋がるスベリ後縁部は一般のスベリ紡織品を使用する。
【考案の効果】
【０００６】
本考案の帽子は、上記の構成により、帽子のスベリの紡織材料に最低一つの機能性繊維を採用して、抗菌、防臭、除臭、さらに保温の諸機能を備え、洗濯回数の低減を実現し、帽子の使用寿命を延ばすことができる。さらに、本考案の帽子は、帽子本体（構造）の紡織材料に最低一つの機能性繊維を採用して、微生物や細菌の繁殖を抑え、帽子内部を清潔に保つことができる。
【考案を実施するための最良の形態】
【０００７】
図１及び図２は本考案の第１の実施の形態を示している。図１及び図２に示すように、この実施の形態の帽子１０は、本体１１、及びスベリ１５を備え、スベリ１５を構成するスベリ紡織品１５１は平織り、ニットまたは混紡等の方式で編成され、スベリ紡織品１５１の中もしくは表面に最低一種類の機能性繊維１３が織り込まれ、機能性スベリ１５として形成される。この機能性スベリ１５を採用した帽子１０は特殊機能を備えた帽子となり、その使用価値も高いものとなる。この場合、機能性繊維１３はスベリ１５の位置に一定間隔をあけて配置され、例えば機能性繊維１３１、１３３、１３５、１３７、１３９はスベリ紡織品１５１の適切な位置に段状に、かつ一定間隔をおいて環状に設けられている。
【０００８】
この機能性繊維１３には、除臭、防臭、保温及び抗菌の効果に優れている竹炭繊維、除臭繊維、防臭繊維、抗菌繊維、芳香繊維がお薦めであり、これらの繊維から一種類、もしくはこれらの繊維を選択的に混合して使うことができる。
【０００９】
竹炭繊維は、製糸の過程において、竹炭パウダーを加えると竹炭機能をもつ糸または紡織品を作ることができる。竹炭繊維を機能性繊維１３に使用した場合、竹炭繊維は除臭、防臭、吸湿、抗菌、遠赤外線、電磁波阻止及び保温等の機能をもっているため、竹炭繊維で作られた糸、紡織品、竹炭スベリ１５及び帽子１０も同じく除臭、防臭、吸湿、抗菌、遠赤外線、電磁波阻止及び保温等の特殊機能を有する。
【００１０】
芳香繊維を機能性繊維１３に使用した場合、芳香繊維は除臭、防臭及び芳香性等の機能をもっているため、芳香繊維で作られた糸、紡織品、芳香スベリ１５及び帽子１０も同じく除臭、防臭及び芳香性等の特殊機能を有する。
【００１１】
機能性繊維１３に除臭繊維、防臭繊維や抗菌繊維を選定した場合、あるいは金属イオン繊維（例えばシルバーイオン繊維）、キトサン繊維、抗菌剤含有繊維、光触媒繊維及びこれらの組合せの一つを選定した場合、除臭、防臭及び抗菌の効果を発揮することができる。
【００１２】
さらに、スベリ１５の吸汗発散機能を高めるため、機能性繊維１３として一種の排汗繊維、吸汗発散繊維を用いることもできる。
【００１３】
図３に本考案の第２の実施の形態を示している。図３に示すように、この実施の形態のスベリ２５は、一部がスベリ紡織品２５１によって作られ、残部（スベリ紡織品２５１の両側のスベリ余剰部分）が機能性繊維２３を用いて環状（環状スベリ）に形成されている。例えば、つば２７に近接するスベリ前縁部（またはスベリ第一部分と称す）２５７には機能性繊維２３が用いられ、スベリ前縁部２５７と繋がるスベリ後縁部（またはスベリ第二部分と称す）２５９は一般のスベリ紡織品２５１が使用される。この構造により、汗で汚れやすいスベリ前縁部２５７は除臭、防臭、保温や抗菌等の効果を発揮することができる。
【００１４】
図４に本考案の第３の実施の形態を示している。図４に示すように、この実施の形態のスベリ３５は、製造者が帽子３０の関連情報を表示し、使用者が帽子３０の関連情報を確認できるように一つのラベル３５５を有している。この場合、ラベル３５５はスベリ紡織品３５１のある部分（一部）に縫い付けられている。
【００１５】
図５に本考案の第４の実施の形態を示している。図５に示すように、この実施の形態では、スベリ４５の表面に機能性繊維４３が環状に分布されており、その幅はスベリ４５の僅か２分の１である。この幅の違いにより、機能性繊維の本数を１本もしくは２本とすることができる。例えば、スベリ４５の上環状部４５３に機能性繊維４３が設けられると、帽子４０を付けた時、機能性繊維４３の特性により既述のとおりの効果を得ることができ、しかも機能性繊維４３の使用量を節約することができる。また反対に、機能性繊維４３がスベリ４５の下環状部４５４に設けられても同じ効果を得ることができる。
【００１６】
以上、本願出願人が推奨する本考案の実施の形態を示した。但し、これらの実施の形態は説明を行うための参考であり、これらの実施の形態に限定されるものではない。よって、本考案の実用新案登録請求の範囲に基づく形状、構造の変更または改良は全て本考案の技術的範疇に含まれるものである。
【図面の簡単な説明】
【００１７】
【図１】本考案の第１の実施の形態における帽子の分解斜視図
【図２】同実施の形態における帽子の組立斜視図
【図３】本考案の第２の実施の形態における帽子の組立斜視図
【図４】本考案の第３の実施の形態における帽子の組立斜視図
【図５】本考案の第４の実施の形態における帽子の組立斜視図
【符号の説明】
【００１８】
１０  帽子
１１  本体
１３  機能性繊維
１３１  機能性繊維
１３３  機能性繊維
１３５  機能性繊維
１３７  機能性繊維
１３９  機能性繊維
１５  スベリ
１５１  スベリ紡織品
２３  機能性繊維
２５  スベリ
２５１  スベリ紡織品
２５７  スベリ前縁部
２５９  スベリ後縁部
２７  つば
３０  帽子
３５  スベリ
３５１  スベリ紡織品
３５５  ラベル
４０  帽子
４３  機能性繊維
４５  スベリ
４５３  上環状部
４５４  下環状部
【図１】
0003126411.tif 000003
【図２】
0003126411.tif 000004
【図３】
0003126411.tif 000005
【図４】
0003126411.tif 000006
【図５】
0003126411.tif 000007